(57)【特許請求の範囲】
【請求項１】
異なった種類の複数の空気調和装置についての異常検知又は予知を監視する一台の監視装置と、
上記空気調和装置の種類に対応して複数台設置され、それぞれが電話回線により上記監視装置に接続されて、対応する異なった種類の上記空気調和装置を遠隔監視する遠隔監視装置とを有し、
上記監視装置は、異常が検知又は予知された上記空気調和装置の種類に対応して、上記電話回線を介し、発呼先である複数の上記遠隔監視装置への接続を切り換える切換手段を備えたことを特徴とする空気調和装置の遠隔監視システム。
【発明の詳細な説明】
【０００１】
【発明の属する技術分野】
本発明は、吸収式冷温水機、ガスエンジンにて圧縮機を駆動させるガスヒートポンプ式空気調和装置、電動モータにて圧縮機を駆動させるパッケージ式空気調和装置等の空気調和装置を遠隔監視する空気調和装置の遠隔監視システムに関する。
【０００２】
【従来の技術】
吸収式冷温水機、ガスヒートポンプ式空気調和装置、パッケージ式空気調和装置等の空気調和装置には、例えば同一ビルディング内に異なった種類の空気調和装置が混在し、それぞれが遠隔監視センターにより遠隔監視されるものがある。
【０００３】
このような空気調和装置の遠隔監視システム１０が図３に示されている。つまり、複数の吸収式冷温水機１１が、この吸収式冷温水機１１に対応した専用の第１監視装置１３に接続されて監視され、また、ガスヒートポンプ式空気調和装置１２が、このガスヒートポンプ式空気調和装置１２に対応した専用の第２監視装置１４に接続されて監視され、これらの第１監視装置１３と第２監視装置１４が、それぞれ個別の遠隔監視装置としての第１ホストコンピュータ１５と第２ホストコンピュータ１６とに接続されて遠隔監視されている。これらの第１ホストコンピュータ１５及び第２ホストコンピュータ１６は、同一または異なった遠隔監視センター１７に設置されたものである。
【０００４】
第１監視装置１３は、複数の吸収式冷温水機１１についての異常検知または予知を認識すると、発呼先である第１ホストコンピュータ１５へ呼出信号を送信して、第１ホストコンピュータ１５との通信を開始させる。また、第２監視装置１４は、同様に、複数のガスヒートポンプ式空気調和装置１２について異常を検知または予知すると、発呼先である第２ホストコンピュータ１６へ呼出信号を送信して、第２ホストコンピュータ１６との通信を開始させる。上述の第１監視装置１３と第２監視装置１４の発呼は、それぞれの内部に予め設定された発呼先電話番号によってなされる。
【０００５】
【発明が解決しようとする課題】
上述のような従来の空気調和装置の遠隔監視システム１０では、空気調和装置の種類に対応して複数の監視装置（第１監視装置１３及び第２監視装置１４）が設置されるので、これら複数の第１監視装置１３及び第２監視装置１４のために設置スペースを確保し、電話回線を接続し、設定作業を実施しなければならず、コストが上昇してしまう。
【０００６】
本発明の課題は、上述の事情を考慮してなされたものであり、監視装置の増加に伴うコストを低減できると共に、異なった種類の空気調和装置に関する情報を、それぞれの種類に対応する遠隔監視装置に確実に読み取らせることができる空気調和装置の遠隔監視システムを提供することにある。
【０００７】
【課題を解決するための手段】
請求項１に記載の発明は、異なった種類の複数の空気調和装置についての異常検知又は予知を監視する一台の監視装置と、上記空気調和装置の種類に対応して複数台設置され、それぞれが電話回線により上記監視装置に接続されて、対応する異なった種類の上記空気調和装置を遠隔監視する遠隔監視装置とを有し、上記監視装置は、異常が検知又は予知された上記空気調和装置の種類に対応して、上記電話回線を介し、発呼先である複数の上記遠隔監視装置への接続を切り換える切換手段を備えたことを特徴とするものである。
【０００８】
請求項１に記載の発明には、次の作用がある。
【０００９】
異なった種類の複数の空気調和装置を一台の監視装置にて監視することから、監視装置の増加に伴うコストの上昇を防止できる。
【００１０】
また、監視装置は、異常が検知又は予知された空気調和装置の種類に対応して、電話回線を介し、発呼先である複数の遠隔監視装置への接続を切り換える切換手段を備えたことから、異常が検知又は予知された空気調和装置に関する情報を、当該空気調和装置の種類に対応した遠隔監視装置に確実に読み取らせることができる。
【００１１】
異常が検知又は予知された空気調和装置に関する情報が、監視装置の切換手段により、当該空気調和装置の種類に対応した遠隔監視装置に読み取られることから、空気調和装置に関する情報の分類作業の容易化と、各遠隔監視装置の情報処理の負荷を軽減できる。
【００１２】
【発明の実施の形態】
以下、本発明の実施の形態を図面に基づいて説明する。
【００１３】
図１は、本発明に係る空気調和装置の遠隔監視システムにおける一実施の形態を示す系統図である。
【００１４】
図１に示す遠隔監視システム２０は、種類の異なった複数台の空気調和装置、例えば本実施の形態では吸収式冷温水機２１及びガスヒートポンプ式空気調和装置２２を、１台の監視装置２３を用いて監視し、遠隔監視センター２４に設置された遠隔監視装置としての第１ホストコンピュータ２５と第２ホストコンピュータ２６とによりそれぞれ遠隔監視するものである。ここで、監視装置２３は吸収式冷温水機２１及びガスヒートポンプ式空気調和装置２２側に配置され、遠隔監視センター２４は吸収式冷温水機２１及びガスヒートポンプ式空気調和装置２２に対し遠隔位置に配置される。
【００１５】
複数台の吸収式冷温水機２１は、通信回線２７を用いて監視装置２３の機器用接続口２９に接続される。また、複数台のガスヒートポンプ式空気調和装置２２は、通信回線２８を用いて監視装置２３の機器用接続口３０に接続される。
【００１６】
監視装置２３は、遠隔監視センター２４の第１ホストコンピュータ２５及び第２ホストコンピュータ２６との通信手段である電話回線３１を直接、またはモデム（不図示）を介して接続するための電話回線用接続口３２と、上述の機器用接続口２９及び機器用接続口３０とを備え、運転状態監視機能、異常検知予知認識機能、記憶機能、呼出機能、送信機能及び読込完了判定機能を有する。
【００１７】
運転状態監視機能は、監視装置２３の機器用接続口２９に通信回線２７を介して接続された複数台の吸収式冷温水機２１の運転状態と、機器用接続口３０に通信回線２８を介して接続された複数台のガスヒートポンプ式空気調和装置２２の運転状態とをそれぞれ監視するものである。
【００１８】
異常検知予知認識機能は、吸収式冷温水機２１のごとく、自らの運転状態から異常を検知または予知する機能を有する場合には、その異常の検知または予知を発見して認識し、また、ガスヒートポンプ式空気調和装置２２やパッケージ式空気調和装置の如く、自らの異常を予知しない場合には、運転状態から異常を予知して認識するものである。
【００１９】
記憶機能は、運転状態監視機能により監視された吸収式冷温水機２１及びガスヒートポンプ式空気調和装置２２の運転状態に関する運転情報と、異常検知予知認識機能により認識された吸収式冷温水機２１及びガスヒートポンプ式空気調和装置２２についての異常検知または予知状態に関する異常情報とを内蔵のメモリに、更新しながら取り込んで記憶するものである。また、上記内蔵メモリには、ガスヒートポンプ式空気調和装置２２を遠隔監視する第１ホストコンピュータ２５の電話番号と、ガスヒートポンプ式空気調和装置２２を遠隔監視する第２ホストコンピュータ２６の電話番号とが予め設定されて記憶されている。
【００２０】
上記呼出機能は、異常検知予知認識機能により、吸収式冷温水機２１、ガスヒートポンプ式空気調和装置２２について異常を検知または予知したとき、吸収式冷温水機２１とガスヒートポンプ式空気調和装置２２のいずれにおいて異常が検知または予知されたかを判定し、後述の発呼先切換装置３５を用い、内蔵メモリに記憶された電話番号を使用して、遠隔監視センター２４の第１ホストコンピュータ２５、第２ホストコンピュータ２６へ呼出信号を送信する（発呼する）ものである。
【００２１】
上記送信機能は、遠隔監視センター２４の第１ホストコンピュータ２５、第２ホストコンピュータ２６からの要求に応じて、監視装置２３内に記憶された吸収式冷温水機２１、ガスヒートポンプ式空気調和装置２２についての運転情報及び異常情報を遠隔監視センター２４の第１ホストコンピュータ２５、第２ホストコンピュータ２６へ送信するものである。
【００２２】
上記読込完了判定機能は、遠隔監視センター２４の第１ホストコンピュータ２５、第２ホストコンピュータ２６が、異常が検知された全ての吸収式冷温水機２１、ガスヒートポンプ式空気調和装置２２に関する異常情報及び運転情報を、監視装置２３の内蔵メモリから読み込んだか否かを判定するものである。
【００２３】
一方、前記遠隔監視センター２４の第１ホストコンピュータ２５、第２ホストコンピュータ２６は、空気調和装置の種類に応じて複数台設置されたものであり、それぞれ受信装置３３、３４を介して電話回線３１に接続される。第１ホストコンピュータ２５が吸収式冷温水機２１を、第２ホストコンピュータ２６がガスヒートポンプ式空気調和装置２２をそれぞれ遠隔監視する。
【００２４】
つまり、第１ホストコンピュータ２５は、電話回線３１を経て監視装置２３からの呼出信号を受信してからこの監視装置２３との通信を開始し、監視装置２３の内蔵メモリに記憶された吸収式冷温水機２１に関する異常情報を読み込んで、吸収式冷温水機２１のいずれにおいて異常が検知または予知されたかを監視し、さらに同じく内蔵メモリに記憶された運転情報から、異常が検知または予知された吸収式冷温水機２１の運転情報を読み込んで、監視装置２３との通信を終了する。また、第２ホストコンピュータ２６は、電話回線３１を経て監視装置２３からの呼出信号を受信してからこの監視装置２３との通信を開始し、監視装置２３の内蔵メモリに記憶されたガスヒートポンプ式空気調和装置２２に関する異常情報を読み込んで、ガスヒートポンプ式空気調和装置２２のいずれにおいて異常が検知または予知されたかを認識し、さらに同じく内蔵メモリに記憶された運転情報から、異常が検知または予知されたガスヒートポンプ式空気調和装置２２の運転状態を読み込んで、監視装置２３との通信を終了する。
【００２５】
ところで、監視装置２３は、呼出信号を遠隔監視センター２４の第１ホストコンピュータ２５、第２ホストコンピュータ２６へ送信した時点で、上述の運転状態監視機能、異常検知予知認識機能及び記憶機能を停止し、異常検知または予知時点以降の運転情報及び異常情報の取り込みを停止する。監視装置２３は、第１ホストコンピュータ２５、第２ホストコンピュータ２６との通信が終了し、電話回線３１の回線が切断された時点で、上述の運転状態監視機能、異常検知予知認識機能及び記憶機能を再び動作させる。
【００２６】
また、監視装置２３は発呼先切換装置３５を備える。この発呼先切換装置３５は、異常が検知または予知された空気調和装置の種類（吸収式冷温水機２１、ガスヒートポンプ式空気調和装置２２）に対応して、電話回線３１を介し、発呼先である複数台の遠隔監視装置（第１ホストコンピュータ２５、第２ホストコンピュータ２６）への接続を切り換えるものである。
【００２７】
つまり、発呼先切換装置３５は、吸収式冷温水機２１に異常が検知または予知された場合には、この吸収式冷温水機２１を遠隔監視する第１ホストコンピュータ２５を発呼すべく、発呼先電話番号を第１ホストコンピュータ２５の電話番号に切り換える。また、発呼先切換装置３５は、ガスヒートポンプ式空気調和装置２２に異常が検知または予知された場合には、このガスヒートポンプ式空気調和装置２２を遠隔監視する第２ホストコンピュータ２６を発呼すべく、発呼先電話番号を第２ホストコンピュータ２６の電話番号に切り換える。そして、監視装置２３の呼出機能により、発呼先切換装置３５にて切り換えられた発呼先電話番号に呼出信号が送信される。
【００２８】
次に、監視装置２３の動作を図２を用いて説明する。
【００２９】
監視装置２３は、吸収式冷温水機２１と定期的に通信してこの吸収式冷温水機２１を監視し、吸収式冷温水機２１に関する運転情報や異常情報を内蔵メモリに、順次更新しながら取り込んで記憶する（Ｓ１）。そして、監視装置２３は、この吸収式冷温水機２１との通信において、異常の検知または予知を判定する（Ｓ２）。
【００３０】
吸収式冷温水機２１に異常が検知または予知されない場合には、監視装置２３は、ガスヒートポンプ式空気調和装置２２と定期的に通信してこのガスヒートポンプ式空気調和装置２２を監視し、ガスヒートポンプ式空気調和装置２２に関する運転情報や異常情報を内蔵メモリに、順次更新しながら取り込んで記憶し（Ｓ３）、ガスヒートポンプ式空気調和装置２２に異常が検知または予知されたか否かを判定する（Ｓ４）。
【００３１】
ステップＳ２において吸収式冷温水機２１に異常が検知されると、監視装置２３は、発呼先切換装置３５を作動させて発呼先電話番号を第１ホストコンピュータ２５の電話番号に切り換え、第１ホストコンピュータ２５へ呼出信号を送信する（Ｓ５）。この時点で、監視装置２３は、吸収式冷温水機２１との定期的通信を停止して、吸収式冷温水機２１の運転情報及び異常情報を内蔵メモリに記憶することを停止する。
【００３２】
遠隔監視センター２４の第１ホストコンピュータ２５は、監視装置２３からの呼出信号により監視装置２３との通信を開始し、監視装置２３の内蔵メモリに記憶された異常情報から、異常が検知または予知された吸収式冷温水機２１を特定し、その特定された吸収式冷温水機２１の運転情報を読み込む。この時、監視装置２３は、第１ホストコンピュータ２５からの要求に応じて必要な情報を送信し（Ｓ６）、第１ホストコンピュータ２５との通信が終了したか否かを判定する（Ｓ７）。
【００３３】
ステップＳ４において、ガスヒートポンプ式空気調和装置２２に異常が検知されると、監視装置２３は、発呼先切換装置３５を作動させて発呼先電話番号を第２ホストコンピュータ２６の電話番号に切り換え、第２ホストコンピュータ２６へ呼出信号を送信する（Ｓ８）。この時点で、監視装置２３は、ガスヒートポンプ式空気調和装置２２との定期的通信を停止して、ガスヒートポンプ式空気調和装置２２の運転情報及び異常情報を内蔵メモリに記憶することを停止する。
【００３４】
遠隔監視センター２４の第２ホストコンピュータ２６は、監視装置２３からの呼出信号により監視装置２３との通信を開始し、監視装置２３の内蔵メモリに記憶された異常情報から、異常が検知または予知されたガスヒートポンプ式空気調和装置２２を特定し、その特定されたガスヒートポンプ式空気調和装置２２の運転情報を読み込む。この時、監視装置２３は、第２ホストコンピュータ２６からの要求に応じて必要な情報を送信し（Ｓ９）、第２ホストコンピュータ２６との通信が終了したか否かを判定する（Ｓ１０）。
【００３５】
監視装置２３は、ステップＳ７またはステップＳ１０において、第１ホストコンピュータ２５または第２ホストコンピュータ２６との通信が終了していれば、第２ホストコンピュータ２６または通信回線２７との回線を切断し（Ｓ１１）、吸収式冷温水機２１、ガスヒートポンプ式空気調和装置２２との定期的通信を再開させる。
【００３６】
従って、上記実施の形態によれば次の効果▲１▼〜▲３▼を奏する。
【００３７】
▲１▼異なった種類の複数の吸収式冷温水機２１及びガスヒートポンプ式空気調和装置２２を１台の監視装置２３にて監視することから、監視装置２３の増加に伴うコストの上昇を防止できる。
【００３８】
▲２▼監視装置２３、異常が検知または予知された空気調和装置（吸収式冷温水機２１、ガスヒートポンプ式空気調和装置２２）の種類に対応して、電話回線３１を介し、発呼先である複数の遠隔監視装置（第１ホストコンピュータ２５、第２ホストコンピュータ２６）への接続を切り換える発呼先切換装置３５を備えたことから、異常が検知または予知された空気調和装置に関する情報を、当該空気調和装置の種類に対応した遠隔監視装置に、例えば吸収式冷温水機２１に関する情報を第１ホストコンピュータ２５に、ガスヒートポンプ式空気調和装置２２に関する情報を第２ホストコンピュータ２６に、それぞれ確実に読み取らせることができる。
【００３９】
▲３▼異常が検知または予知された空気調和装置（吸収式冷温水機２１、ガスヒートポンプ式空気調和装置２２）に関する情報が、監視装置２３の発呼先切換装置３５により、当該空気調和装置の種類に対応した遠隔監視装置（第１ホストコンピュータ２５、第２ホストコンピュータ２６）に読み取られることから、空気調和装置に関する情報が吸収式冷温水機２１またはガスヒートポンプ式空気調和装置２２のいずれからの情報であるかの分類作業、つまり空気調和装置に関する情報の分類作業を容易化できる。しかも、第１ホストコンピュータ２５、第２ホストコンピュータ２６がそれぞれ吸収式冷温水機２１、ガスヒートポンプ式空気調和装置２２に関する情報のみを処理すれば良いので、各遠隔監視装置（第１ホストコンピュータ２５、第２ホストコンピュータ２６）の情報処理の負担を軽減できる。
【００４０】
以上、一実施の形態に基づいて本発明を説明したが、本発明はこれに限定されるものではない。
【００４１】
例えば、上記実施の形態では、空気調和装置が吸収式冷温水機２１とガスヒートポンプ式空気調和装置２２の場合を述べたが、パッケージ式空気調和装置を含めた場合も同様に本発明を適用できる。
【００４２】
また、一の遠隔監視センター２４に第１ホストコンピュータ２５、第２ホストコンピュータ２６が配置されたものを述べたが、例えば、第１ホストコンピュータ２５及び受信装置３３が吸収式冷温水機製造会社のサービス会社に設置された遠隔監視センターを、第２ホストコンピュータ２６及び受信装置３４がガス会社に設置された遠隔監視センターを、それぞれ構成するものでもよい。
【００４３】
【発明の効果】
以上のように、本発明に係る空気調和装置の遠隔監視システムによれば、１台の監視装置で、異なった種類の複数の空気調和装置についての異常検知または予知を監視し、しかも、この監視装置は、異常が検知または予知された空気調和装置の種類に対応して、電話回線を介し、発呼先である複数の遠隔監視装置への接続を切り換える切り換え手段を備えたことから、監視装置の増加に伴うコストを低減できると共に、異なった種類の空気調和装置に関する情報を、それぞれの種類に対応する遠隔監視装置に確実に読み取らせることができる。
【図面の簡単な説明】
【図１】本発明に係る空気調和装置の遠隔監視システムにおける一実施の形態を示す系統図である。
【図２】図１の監視装置の動作を示すフローチャートである。
【図３】従来の空気調和装置の遠隔監視システムを示す系統図である。
【符号の説明】
２０  遠隔監視システム
２１  吸収式冷温水機（空気調和装置）
２２  ガスヒートポンプ式空気調和装置（空気調和装置）
２３  監視装置
２５  第１ホストコンピュータ（遠隔監視装置）
２６  第２ホストコンピュータ（遠隔監視装置）
３１  電話回線
３５  発呼先切換装置
【図１】
0003759557.tif 000002
【図２】
0003759557.tif 000003
【図３】
0003759557.tif 000004